(57)【要約】【課題】光ディスクプレーヤにおいて、互いに規格の異なる複数種類の光学ピックアップをターンテーブルに対して互いに反対側であってトレーの引出し方向に設けた場合に、トレーにその引出し方向に延びる大きな開口が形成され、このような開口によって例えば８ｃｍのベアディスクが上記の開口を通してドライブ内に脱落して光学ピックアップ等を破損することを防止する。【解決手段】フロントパネル１１の横長開口１２の内側であって下縁の部分に中心に対して左右対称にベアディスク５２、５３のエッジを検出する検出部７１、７２を設けるとともに、さらにトレー１３の下面に貼付けられた欠如部６１、６２を有する反射箔６０を検出する検出部７３を上記検出部７２の側方に設け、これら３つの検出部７１、７２、７３の検出出力の組合わせによってベアディスク５２、５３がずれた状態で載置された場合にトレー１３の引込み動作を停止する。【選択図】  図１４
2004178711.tif 000002
【特許請求の範囲】
【請求項１】
ディスク状記録媒体を記録再生位置に装着し、ヘッドによって記録および／または再生を行なうようにした装置において、
前記ディスク状記録媒体を装着するための移動経路上に前記ディスク状記録媒体の中心の移動経路の両側に位置するように一対の検出手段を設け、
前記検出手段によって前記ディスク状記録媒体の装着の有無および前記移動経路に対して前記ディスク状記録媒体の中心が側方にずれているかどうかを検出することを特徴とするディスク式記録および／または再生装置。
【請求項２】
前記一対の検出手段は前記ディスク状記録媒体の中心の移動経路に対して互いに対称に配されることを特徴とする請求項１に記載のディスク式記録および／または再生装置。
【請求項３】
前記検出手段は発光部と受光部とを備え、発光部が発した光が前記ディスク状記録媒体によって反射されて受光部で受光されると検出動作を行なうことを特徴とする請求項１に記載のディスク式記録および／または再生装置。
【請求項４】
ディスク状記録媒体をトレー上に載置し、前記トレーを引込むことによって前記ディスク状記録媒体を記録再生位置に装着し、ヘッドによって記録および／または再生を行なうようにした装置において、
前記トレーの引込み経路上に、前記トレーの所定の部位を検出するトレー検出手段と前記ディスク状記録媒体を検出するディスク検出手段とを設けたことを特徴とするディスク式記録および／または再生装置。
【請求項５】
前記トレー検出手段は前記トレーの引込み方向に沿ってその所定の位置に設けられた被検出部を具備するとともに、前記ディスク検出手段はディスク状記録媒体を直接検出し、前記ディスク検出手段による検出と前記トレー検出手段による検出の組合わせによって前記ディスク状記録媒体が前記トレーに正しく載置されたかどうかまたは前記ディスク状記録媒体の大きさの検出を行なうことを特徴とする請求項４に記載のディスク式記録および／または再生装置。
【請求項６】
前記トレーを引込むための開口が形成されているフロントパネルの前記開口の周縁部に前記トレー検出手段と前記ディスク検出手段とが設けられることを特徴とする請求項５に記載のディスク式記録および／または再生装置。
【請求項７】
前記トレー検出手段が発光部と受光部とを備えるとともに、前記トレー側に反射部または非反射部から成る被検出部が設けられ、前記発光部が発した光を前記被検出部が反射するか反射しないかを検出することによって前記受光部が検出動作を行なうことを特徴とする請求項６に記載のディスク式記録および／または再生装置。
【請求項８】
前記ディスク検出手段が発光部と受光部とを備え、前記発光部が発した光を前記ディスク状記録媒体が反射して前記受光部が検出動作を行なうことを特徴とする請求項６に記載のディスク式記録および／または再生装置。
【請求項９】
前記トレーの前記ディスク状記録媒体を載置する載置面とは反対側の裏面に前記トレーの引込み方向に沿って反射箔が貼付けられるとともに、前記ディスク状記録媒体の大きさと対応して前記反射箔が欠如された欠如部が形成され、前記トレー検出手段が前記欠如部を検出したときに前記ディスク検出手段が前記ディスク状記録媒体を検出した場合に前記ディスク状記録媒体が正しく載置されたと判断し、そうでない場合に前記ディスク状記録媒体が正しく載置されていないと判断することを特徴とする請求項７に記載のディスク式記録および／または再生装置。
【請求項１０】
前記ディスク検出手段は前記ディスク状記録媒体の中心の移動経路の両側に位置するように一対設けられるとともに、前記トレーの前記ディスク状記録媒体を載置する載置面とは反対側の裏面に前記トレーの引込み方向に沿って反射箔が貼付けられ、しかも前記ディスク状記録媒体の大きさと対応して前記反射箔が欠如された欠如部が形成され、前記トレー検出手段が前記欠如部を検出したときに前記ディスク検出手段が前記ディスクを検出した場合に前記ディスク状記録媒体が正しく載置されたと判断し、そうでない場合に前記ディスク状記録媒体が正しく載置されていないと判断することを特徴とする請求項７に記載のディスク式記録および／または再生装置。
【請求項１１】
ディスク状記録媒体をトレー上に載置し、前記トレーを引込んで前記ディスク状記録媒体を記録再生位置に装着し、ヘッドによって記録および／または再生を行なうようにした装置において、
前記トレーを引込むためのフロントパネルの開口の周縁部に前記トレーの所定の位置に設けられた被検出部を検出するトレー検出手段と、前記トレー上のディスク状記録媒体を検出するディスク検出手段とを設けておき、
前記トレーを引込んだときに前記トレー検出部の検出出力と前記ディスク検出部の検出出力の組合わせによって前記ディスク状記録媒体の大きさまたは前記ディスク状記録媒体が正しく載置されているかどうかを判別することを特徴とするディスク式記録および／または再生装置におけるディスク状記録媒体の判別方法。
【発明の詳細な説明】
【０００１】
【発明の属する技術分野】
本発明はディスク式記録および／または再生装置およびそのディスク状記録媒体の判別方法に係り、とくにディスク状記録媒体を記録再生位置に装着し、ヘッドによって記録および／または再生を行なうようにしたディスク式記録および／または再生装置およびそのディスク状記録媒体の判別方法に関する。
【０００２】
【従来の技術】
ディスク状記録媒体を回転させながら光学ピックアップによって再生動作あるいは記録動作を行なうようにしたディスク式記録再生装置が広く用いられている。ここでディスク状記録媒体を構成する光ディスクをターンテーブルによって回転させながら、光学ピックアップを上記光ディスクに対して半径方向に移動させることによって、光学ピックアップが光ディスクに対してアクセスされ、これによって所定の記録あるいは再生が行なわれる。
【０００３】
ここで光ディスクはそのフォーマットに応じて光学ピックアップのレーザ光の波長が異なっており、例えばＣＤ（コンパクトディスク）の場合には７８０ｎｍのレーザ光が用いられる。これに対してＤＶＤ（Ｄｉｇｉｔａｌ  Ｖｅｒｓａｔｉｌｅ  Ｄｉｓｃ）の場合には６５０ｎｍのレーザ光が用いられる。さらに書込み可能な高密度記録用のフォーマットのいわゆるＤＶＲ（Ｄｉｇｉｔａｌ  Ｖｅｒｓａｔｉｌｅ  Ｄｉｓｃ  Ｒｅｗｒｉｔａｂｌｅ）の場合には、使用されるレーザ光の波長が４０５ｎｍになっている。
【０００４】
なお特許第２９３９９７０号公報には、記録媒体としてのディスクを装着するサブトレーと、このサブトレーを保持するメイントレーと、このメイントレーを複数枚収納する筐体を備えたディスクプレーヤにおいて、各メイントレーはディスクを装着したサブトレーを筐体内にあるストック位置に保持したとき、ディスクセンター孔と対応する位置に透孔を形成し、この透孔を通ってディスクローディング方向に延びる軸線上且つディスクの径に応じた位置に複数の検出孔を形成するとともに、この透孔を貫通して上下方向へ延びる垂線上且つ複数枚のメイントレーを挟んだ位置に一対の投光部と受光部とからなるディスク検出素子を配設し、さらにサブトレーは透孔を通ってディスクローディング方向に延びる軸線上にサブトレー検出孔を形成し、メイントレーが筐体外にあるオープン位置からストック位置へ移送するときまたはサブトレーがストック位置からプレー位置へ移送するときに、投光部から投光した光を検出孔および透孔ならびにサブトレー検出孔を介して受光部で検出することでディスクの大きさおよびディスクの有無、さらにディスクが所定の位置に装着されているか否かを判定するようにしたディスク検出装置が開示されている。
【０００５】
【発明が解決しようとする課題】
ここでフォーマットの異なる光ディスクに対する記録再生のために、総てのフォーマットの波長のレーザ光を出射することが可能な光学ピックアップを用いると、単一の光学ピックアップによって上記のそれぞれの種類の光ディスクに対してコンパチブルに使用できる。
【０００６】
ところが実際にはとくにＤＶＲ用とＤＶＤ／ＣＤにコンパチブルに使用できるように、２つのレンズと上記のそれぞれの波長のレーザ光出射部とを単一のピックアップをに搭載することは可能であるが、このような構成を採用するとピックアップの大きさが大きくなり、調整も複雑で面倒になるという問題がある。
【０００７】
そこでこのような問題を解決するために、ＤＶＲ用の光学ピックアップとＤＶＤ／ＣＤ用の光学ピックアップとをそれぞれ設け、これらをターンテーブルの中心に対して互いに対称に配することによって上記の問題を解消できる。ここでそれぞれの光学ピックアップはディスク状記録媒体の半径方向に移動させて記録あるいは再生の動作を行なう必要がある。このように光学ピックアップをディスク状記録媒体に対してその半径方向に移動しながらアクセスするために、ディスク状記録媒体をトレーによって供給する場合には、トレーに上記のアクセスが可能な開口が形成される。
【０００８】
ところが上述の如くトレーの光ディスク載置位置の中心に対して互いに対称にそれぞれ半径方向に光学ピックアップを移動させてアクセスするための開口を形成すると、トレーの長さ方向に沿って大きな開口が形成されることになる。従ってこのような開口を通してディスク状記録媒体、とくにベアディスクがトレーの下側に落下する危険がある。そして落下したディスクがドライブ内に脱落して光学ピックアップ等を破損する可能性がある。破損しなくても、ディスクがずれて置かれた場合には、ミスチャックによってベアディスクの記録面を傷つける可能性がある。
【０００９】
なお特許第２９３９９７０号公報に開示されている検出素子は、サブトレーおよびメイントレーの中心部であってその引込み方向に沿って配置されている。従ってディスクが引込み方向に対してずれて載置された場合にはその検出動作を行なうことができるものの、引込み方向ではなく中心部に対して側方にずれて載置された場合に検出動作を行なうことができない。
【００１０】
本発明はこのような問題点に鑑みてなされたものであって、とくにターンテーブルの中心に対して互いに反対側に位置するようにフォーマットの異なる複数の光学ピックアップを配し、これによってトレーに大きな開口が形成された場合に、この開口によって生ずるトラブルを効果的かつ確実に解消するようにしたディスク式記録および／または再生装置およびそのディスク状記録媒体の判別方法を提供することを目的とする。
【００１１】
【課題を解決するための手段】
本願の主要な発明は、
ディスク状記録媒体を記録再生位置に装着し、ヘッドによって記録および／または再生を行なうようにした装置において、
前記ディスク状記録媒体を装着するための移動経路上に前記ディスク状記録媒体の中心の移動経路の両側に位置するように一対の検出手段を設け、
前記検出手段によって前記ディスク状記録媒体の装着の有無および前記移動経路に対して前記ディスク状記録媒体の中心が側方にずれているかどうかを検出することを特徴とするディスク式記録および／または再生装置に関するものである。
【００１２】
ここで前記一対の検出手段は前記ディスク状記録媒体の中心の移動経路に対して互いに対称に配されることが好ましい。また前記検出手段は発光部と受光部とを備え、発光部が発した光が前記ディスク状記録媒体によって反射されて受光部で受光されると検出動作を行なうことが好適である。
【００１３】
本願の別の主要な発明は、
ディスク状記録媒体をトレー上に載置し、前記トレーを引込むことによって前記ディスク状記録媒体を記録再生位置に装着し、ヘッドによって記録および／または再生を行なうようにした装置において、
前記トレーの引込み経路上に、前記トレーの所定の部位を検出するトレー検出手段と前記ディスク状記録媒体を検出するディスク検出手段とを設けたことを特徴とするディスク式記録および／または再生装置に関するものである。
【００１４】
ここで前記トレー検出手段は前記トレーの引込み方向に沿ってその所定の位置に設けられた被検出部を具備するとともに、前記ディスク検出手段はディスク状記録媒体を直接検出し、前記ディスク検出手段による検出と前記トレー検出手段による検出の組合わせによって前記ディスク状記録媒体が前記トレーに正しく載置されたかどうかまたは前記ディスク状記録媒体の大きさの検出を行なうことが好適である。また前記トレーを引込むための開口が形成されているフロントパネルの前記開口の周縁部に前記トレー検出手段と前記ディスク検出手段とが設けられることが好ましい。また前記トレー検出手段が発光部と受光部とを備えるとともに、前記トレー側に反射部または非反射部から成る被検出部が設けられ、前記発光部が発した光を前記被検出部が反射するか反射しないかを検出することによって前記受光部が検出動作を行なうようにすることが好適である。また前記ディスク検出手段が発光部と受光部とを備え、前記発光部が発した光を前記ディスク状記録媒体が反射して前記受光部が検出動作を行なうことが好ましい。
【００１５】
また前記トレーの前記ディスク状記録媒体を載置する載置面とは反対側の裏面に前記トレーの引込み方向に沿って反射箔が貼付けられるとともに、前記ディスク状記録媒体の大きさと対応して前記反射箔が欠如された欠如部が形成され、前記トレー検出手段が前記欠如部を検出したときに前記ディスク検出手段が前記ディスク状記録媒体を検出した場合に前記ディスク状記録媒体が正しく載置されたと判断し、そうでない場合に前記ディスク状記録媒体が正しく載置されていないと判断することが好ましい。
【００１６】
また前記ディスク検出手段は前記ディスク状記録媒体の中心の移動経路の両側に位置するように一対設けられるとともに、前記トレーの前記ディスク状記録媒体を載置する載置面とは反対側の裏面に前記トレーの引込み方向に沿って反射箔が貼付けられ、しかも前記ディスク状記録媒体の大きさと対応して前記反射箔が欠如された欠如部が形成され、前記トレー検出手段が前記欠如部を検出したときに前記ディスク検出手段が前記ディスクを検出した場合に前記ディスク状記録媒体が正しく載置されたと判断し、そうでない場合に前記ディスク状記録媒体が正しく載置されていないと判断することが好ましい。
【００１７】
判別方法に関する主要な発明は、
ディスク状記録媒体をトレー上に載置し、前記トレーを引込んで前記ディスク状記録媒体を記録再生位置に装着し、ヘッドによって記録および／または再生を行なうようにした装置において、
前記トレーを引込むためのフロントパネルの開口の周縁部に前記トレーの所定の位置に設けられた被検出部を検出するトレー検出手段と、前記トレー上のディスク状記録媒体を検出するディスク検出手段とを設けておき、
前記トレーを引込んだときに前記トレー検出部の検出出力と前記ディスク検出部の検出出力の組合わせによって前記ディスク状記録媒体の大きさまたは前記ディスク状記録媒体が正しく載置されているかどうかを判別することを特徴とするディスク式記録および／または再生装置におけるディスク状記録媒体の判別方法に関するものである。
【００１８】
４０５ｎｍのＢｌｕ−ｒａｙレーザ光、７８０ｎｍのレーザ光を用いるＣＤ、６５０ｎｍのレーザ光を用いるＤＶＤ等の各種の光ディスクの記録再生に対応するディスクプレーヤにおいて、単一の光学ピックアップで上記の総てのフォーマットに対応することが困難であるために、互いにフォーマットの異なる２種類の光学ピックアップを設け、これらの光学ピックアップをターンテーブルまたはスピンドルモータの互いに対称な両側に搭載する。そしてトレーの中央部には上記の２種類の光学ピックアップに対応する大きな開口を形成する。またトレー上にはＢｌｕ−ｒａｙのレーザ光を用いる光ディスクを収納したカートリッジに加えて、直径が１２ｃｍと８ｃｍのそれぞれのベアディスクを直接載置するためのガイドや溝が形成される。
【００１９】
従って上記のようなガイドや溝に正しく整合せず、それらからはみ出した状態でとくにベアディスクが載置されると、ベアディスクが正しくチャッキングされず、ミスチャックによってベアディスクの記録面に傷をつける可能性がある。また小さい直径が８ｃｍのディスクがトレーの上記の開口を通してその下側であってドライブ内に落下すると、光学ピックアップ等を損傷する可能性がある。
【００２０】
そこで本願に含まれる発明の好ましい態様は、３つの光学式検出装置とトレーの下面に貼付けた反射部とを設けてベアディスクの位置を判別している。とくに一対の検出部はトレーの幅方向の中心に対して左右対称な位置に置かれ、ベアディスクがそれぞれのセンサの上を通過するタイミングを検出する。これに対して残りのもう１つの検出部はトレーに貼った上記の反射部を見てトレーの位置を検出する。そしてこれらの検出部の検出出力の組合わせによってトレーとベアディスクの相対位置を判断し、ベアディクスが正規の位置に置かれていないと判断された場合にはその時点でトレーの引込み動作、すなわちローディング動作を中止し、とくに８ｃｍのベアディスクがドライブの内部に脱落することを未然に防止するようにしたものである。従ってこのような態様によれば、とくにトレーの上に形成された引込み方向に長い開口によってもたらされる問題を解消することが可能になる。
【００２１】
【発明の実施の形態】
（１）構成の説明
図１および図２は本願発明の一実施の形態に係るディスク式記録再生装置の全体の構成を示すものであって、この装置は偏平な直方体状をなす外筐１０を備えている。なお図１および図２に示すように、ここでは上部を開放して示している。そしてこの外筐１０の前面側の開口を閉塞するフロントパネル１１には横長開口１２が形成され、この横長開口１２によって引出し可能にトレー１３が外筐１０内に組込まれるようになっている。
【００２２】
トレー１３はそのほぼ中央部にカートリッジまたはベアディスクを受入れる凹部１４を有するとともに、凹部１４を横切るように縦方向に延びる開口１５が形成されている。この開口１５の奥側にはＵ字状の切込み１６が連設され、手前側には半円形の切込み１７が形成されている。
【００２３】
またトレー１３上であってそのの奥側の側部には駆動ユニット１８が設けられ、さらに駆動ユニット１８を駆動するためのモータ１９が取付けられている。トレー１３は外筐１０の内側であってその両側の段部２０によって摺動可能に支持されるとともに、駆動ユニット１８の出力端を構成するピニオンが段部２０の下側のラック２１と噛合い、これによって図１および図２に示すように、横長開口１２に対して引出しおよび収納自在に自走するようになっている。
【００２４】
上記外筐１０の底板の上部には図３〜図６に示すようなベースユニット２５が設けられている。ベースユニットは板金製のシャーシから構成され、そのほぼ中央部にはブラケット２６を介して回転駆動部を構成するターンテーブル２７が設けられている。ターンテーブル２７はその下側のモータによってダイレクトに駆動されるようになっている。
【００２５】
またベースユニット２５は上記ターンテーブル２７に対してその手前側にＤＶＤ用ピックアップ３１が、奥側にＤＶＲ用ピックアップ３２が配されている。ここでＤＶＤ用ピックアップ３１はガイドロッド３３と送りねじ３４とによってその両側が支持されるとともに、送りねじ３４がステッピングモータ３５によって回転駆動され、これによって光ディスクの半径方向に移動されるようになっている。
【００２６】
これに対して奥側のＤＶＲ用ピックアップ３２は両側の一対のガイドロッド３７、３８によって案内されるようになっており、しかもＤＶＲ用ピックアップ３２を光ディスクに対してその半径方向に移動させるための送りねじ３９が設けられている。この送りねじ３９はステッピングモータ４０によって駆動されようになっており、しかも送りねじ３９はピックアップ３２のナット４１に螺合されている。
【００２７】
またベースユニット２５上にはその前方の両側に一対のサポートロッド４５が立設されるとともに、後方の両側には一体にサポートアーム４６が連設されている。これらのサポートロッド４５およびサポートアーム４６はベースユニット２５が昇降機構によって上昇すると、トレー１３の開口４７、４８から突出するようになり、これによってトレー１３上に載置されるＤＶＲ用カートリッジ５１をその４つのコーナの部分で下面から支持するようになっている。
【００２８】
次にこのようなディスク式再生装置におけるディスク状記録媒体、とくにベアディスクの検出のための構成について説明する。図１３に示すように本実施の形態の外筐１０の前面側に取付けられているフロントパネル１１の内側には図１３および図１４に示すようなプリント基板７０が取付けられている。このプリント基板７０はディスクの左側を検出するための検出部７１と、ディスクの右側を検出するための検出部７２と、トレー１３を検出するための検出部７３とを備えている。なおこれらの検出部７１、７２、７３はそれぞれ図２３に示すように受光素子７１ａ、７２ａ、７３ａと、発光素子７１ｂ、７２ｂ、７３ｂとから構成されている。そしてこれらの検出部７１は図１３に示すフレキシブル基板７４によって給電が行なわれるとともに、検出信号が取出されるようになっている。
【００２９】
このような検出部７１〜７３を備えるプリント基板７０は図１４に示すように、フロントパネル１１の内側であって横長開口１２の下縁の内側に配されている。そして上記のような検出部７１、７２、７３の検出を可能にするように、フロントパネル１１の横長開口１２の下側の周縁部には横方向にＵ字状の切込み７６、７７、７８が形成され、これらの切込み７６〜７８によってそれぞれ検出部７１〜７３の検出動作を可能にしている。
【００３０】
上記検出部７１、７２は何れもベアディスク５２、５３を直接検出するようになっており、これらの発光素子７１ｂ、７２ｂが発する光を光ディスク５２、５３の表面で反射して受光素子７１ａ、７２ａが検出を行なうようになっている。これに対してトレー１３はそれ自身が光を反射しないために、図１５に示すように、その下面にはトレー１３の引込み方向であって上記開口１５が延びる方向に反射箔６０が貼付けられている。反射箔６０は一対の欠如部６１、６２を備えている。欠如部６１は直径が８ｃｍの光ディスク５３のエッジの検出に連動するように形成されている。これに対して欠如部６２は直径が１２ｃｍのベアディスク５２のエッジの検出とほぼ連動するように配置されている。
【００３１】
またトレー１３の上面には上述の如くＤＶＲ用カートリッジ５１を収納するための凹部１４が図１７に示すように形成されるとともに、この凹部１４内にはさらに１２ｃｍのベアディスク５２を収納するための凹部８１が形成され、されにこの凹部８１と同心円状に直径が８ｃｍのベアディスク５３を受入れるための凹部８２が形成されている。図１７は凹部８１に１２ｃｍのベアディスク５２を収納した状態を示し、図１８は凹部８２に８ｃｍのベアディスク５３を収納した状態を示している。
【００３２】
次にシステムの構成について図２３により説明する。制御動作を行なうコントローラ６５の入力側にはＤＶＲ用カートリッジ５１を検出するスイッチ６６、検出部７１、７２、７３の受光素子７１ａ、７２ａ、７３ａがそれぞれ接続されている。これに対してコントローラ６６の出力側には上記検出部７１、７２、７３の発光素子７１ｂ、７２ｂ、７３ｂが接続されている。またこのコントローラ６６によって上記トレー１３の引込みを行なうためのモータ１９の制御が行なわれるように接続されている。
【００３３】
（２）動作の説明
次に以上のような構成に係る記録再生装置の動作について説明する。図２に示すトレー１３の凹部１４にＤＶＲ用カートリッジ５１が載置された状態でこのトレー１３が外筐１０内に引込まれた場合には、ＤＶＲ用カートリッジ５１が図７〜図９に示すようにこの装置に装着される。このときにステッピングモータ３５および送りねじ３４によってＤＶＤ用ピックアップ３１がＤＶＲ用カートリッジ５１の外周側であってトレー１３の前方側の部分に退避する。そしてこのときにはＤＶＲ用カートリッジ５１はベースユニット２５上の一対のサポートロッド４５と一対のサポートアーム４６とによってそれぞれ支持される。これらのロッド４５およびアーム４６は何れもベースユニット２５の上昇動作によってトレー１３の開口４７、４８を通してトレー１３の凹部１４上に臨み、ＤＶＲ用カートリッジ５１を正しく位置決めする。
【００３４】
これに対してベアディスク５２がトレー１３の凹部１４に載置された状態でトレー１３が引込まれると、トレー１３は外筐１０内に引込まれる。このときのベアディスク１２のベースユニット２５上における位置関係は図１０〜図１２に示すようになる。すなわちこの場合にはステッピングモータ４０によって送りねじ３９がＤＶＲ用ピックアップ３２をトレー１３の奥側の部分に退避させる。すなわちベアディスク５２に対してその外周側にＤＶＲ用ピックアップ３２が位置する。言換えれば、ベアディスク５２の投影面積の内側にＤＶＲ用ピックアップ３２の少なくともレンズの部分が入らないように退避させる仕組になっている。そしてステッピングモータ３５によって送りねじ３４を介してＤＶＤ用ピックアップ３１がベアディスク５２の下面に位置することになる。このような状態においてターンテーブル２７によってベアディスク５２が回転駆動され、このベアディスク５２に対して記録および／または再生が行なわれる。
【００３５】
このように本実施の形態の記録再生装置は、ＤＶＤ／ＣＤ、ＤＶＲの２つの互いに互換性のないフォーマットのディスク状記録媒体を使用することができる記録再生装置である。ここでベースユニット２５は板金あるいは樹脂によって形成され、この装置の筐体１０内に設けられている。そしてベースユニット２５上においてＤＶＤ／ＣＤ用の光学ピックアップ３１を手前側あるいは前方側に配するとともに、ＤＶＲ用光学ピックアップ３２を奥側に配するようにしている。これに対して光ディスク回転用モータはターンテーブル２７とともに共通化して単一のものを用い、このターンテーブル２７を中心に上記２種類の光学ピックアップ３１、３２をターンテーブル２７の円周方向に１８０度ずれた位置でそれぞれ光ディスクの半径方向に移動自在にしている。なお２種類の光学ピックアップ３１、３２はそれぞれ独立にチルトおよび位置調整を可能にしている。
【００３６】
次にこの記録再生装置の外筐１０のフロントパネル１１に設けられている検出部７１、７２、７３によるベアディスク５２、５３の検出動作について説明する。図１６に示すようにトレー１３上にはＤＶＲ用カートリッジ５１を収納する凹部１４の中にさらに１２ｃｍのベアディスク５２を収納する凹部８１と８ｃｍのベアディスク５３を収納する凹部８２とが形成されている。図１６はカートリッジ５１、ベアディスク５２、５３の何れもが載置されていない空の状態を示している。これに対して図１７は１２ｃｍのベアディスク５２が載置された状態を示している。また図１８は８ｃｍのベアディスク５３が載置された状態を示している。
【００３７】
ここでとくにディスク５２、５３の左右をそれぞれ検出する検出部７１、７２およびこのような検出部７１、７２と対応して形成されるＵ字状切込み７６、７７は図１９および図２０に示すように、トレー１３の中心部であって凹部８１、８２の中心を通る引込み方向の中心線に対して左右対称に配されている。従って図２０に示すように例えば凹部８１に正しく１２ｃｍのベアディスク５２が載置された場合には、一対の検出部７１、７２はほぼ同時にＵ字状切込み７６、７７を通して検出動作を行なう。このときの検出動作が図２５のパターン１に当る。
【００３８】
検出部７１、７２による検出動作とほぼ同期して検出部７３がトレー１３の裏面の反射箔６０の欠如部６２を検出するようになっており、検出部７３が反射箔６０の欠如部６２によって非反射を検出しているタイミングで一対の検出部７１、７２が検出動作を行なった場合に、１２ｃｍのベアディスク５２が正しく装着されたものと判断する。
【００３９】
このことは８ｃｍのベアディスク５３の場合についても同様であって、トレー１３の凹部８２に８ｃｍのベアディスク５３が正しく装着された場合には、左右一対の検出部７１、７２がほぼ同時に検出動作を行なう。しかもこのときにはトレー１３の下面に形成されている欠如部６１が非反射の状態を検出している。すなわち検出部７３がトレー１３の下面の欠如部６１を検出している状態で一対の検出部７１、７２がほぼ同じタイミングで光ディスク５３のエッジを検出すると、図２５においてパターン２の状態になる。すなわち検出部７３の検出出力がハイレベルの状態で検出部７１、７２がハイレベルからローレベルに変化することによって８ｃｍのベアディスク５３の正しい配置が検出される。
【００４０】
これに対して図２１および図２２に示すように、例えば８ｃｍのベアディスク５３がトレー１３の左右の何れかの方向、例えば左方にずれた状態で載置され、凹部８２に対してベアディスク５３が正しく整合されていない場合には、図２５のパターン２に示すような検出動作が行なわれない。これは図２１に示す状態でトレー１３が引込まれると、図２２に示すように例えは左側の切込み７６を通して左側の検出部７１が正しいタイミングよりも早く検出動作を行なう。この検出動作は検出部７３が欠如部６１を検出するよりも前に行なわれる。そして検出部７３が欠如部６１を通過した後に右側の検出部７２が検出動作を行なう。従ってこのような検出部７１、７２のタイミングのずれと検出部７３の検出動作からずれた状態での検出の何れからも、８ｃｍのベアディスク５３の正しくない装着動作が検出される。
【００４１】
上述のような検出に連動して図２５に示すコントローラ６５は、トレー１３を引込むモータ１９の動作を停止し、逆にこのトレー１３を排出することによって、トラブルを未然に解消する。
【００４２】
図２４に示すようにコントローラ６５のＣＰＵはカートリッジ５１の検出用のスイッチ６６の検出出力を読込み、カートリッジ５１が装着されたかどうかの検出動作を行なう。そしてカートリッジ５１が検出された場合には発光器７１ｂ、７２ｂ、７３ｂの総ての発光動作を停止させる。これに対してスイッチ６６がＯＦＦの場合には総ての発光器７１ｂ、７２ｂ、７３ｂをＯＮの状態にする。そしてこの状態でモータ１９を駆動し、トレー１３の引込み動作を開始する。これによって３つの検出部７１、７２、７３による検出動作が行なわれる。そしてここで検出部７１、７２による検出動作が検出部７３の出力がローレベルの状態で行なわれた場合には、ベアディスク５２、５３がずれたものと判断してローディングを中止する。そしてさらにコントローラ６５はモータ１９を逆転してトレー１３を排出する。これに対して検出部７３がハイレベルの状態で検出部７１、７２が検出動作を行なった場合には正常なものと判断してローディングを続行する。
【００４３】
以上本願に含まれる発明を図示の実施の形態によって説明したが、本願に含まれる発明は上記実施の形態によって限定されることなく、本願に含まれる発明の技術的思想の範囲内で各種の変更が可能である。例えば検出部７１、７２、７３の取付け位置、あるいはその検出動作等については各種の設計変更が可能である。
【００４４】
【発明の効果】
本願の主要な発明は、ディスク状記録媒体を記録再生位置に装着し、ヘッドによって記録および／または再生を行なうようにした装置において、ディスク状記録媒体を装着するための移動経路上にディスク状記録媒体の中心の移動経路の両側に位置するように一対の検出手段を設け、検出手段によってディスク状記録媒体の装着の有無および移動経路に対してディスク状記録媒体の中心が側方にずれているかどうかを検出するようにしたものである。
【００４５】
従ってこのようなディスク式記録および／または再生装置によれば、ディスク状記録媒体の中心の移動経路に対して側方にディスク状記録媒体がずれた状態で載置された場合には、そのことを一対の検出手段のタイミングのずれによって確実に検出することが可能になり、とくに側方にずれたままでディスク状記録媒体を装着することを防止できるようになる。
【００４６】
本願の別の主要な発明は、ディスク状記録媒体をトレー上に載置し、トレーを引込むことによってディスク状記録媒体を記録再生位置に装着し、ヘッドによって記録および／または再生を行なうようにした装置において、トレーの引込み経路上に、トレーの所定の部位を検出するトレー検出手段とディスク状記録媒体を検出するディスク検出手段とを設けたものである。
【００４７】
従ってこのようなディスク式記録および／または再生装置によれば、トレーの所定の位置に正しくディスク状記録媒体が載置されない状態で引込み動作が行なわれた場合におけるトラブルの発生を未然に防止することが可能になる。
【００４８】
判別方法に関する主要な発明は、ディスク状記録媒体をトレー上に載置し、トレーを引込んでディスク状記録媒体を記録再生位置に装着し、ヘッドによって記録および／または再生を行なうようにした装置において、トレーを引込むためのフロントパネルの開口の周縁部にトレーの所定の位置に設けられた被検出部を検出するトレー検出手段と、トレー上のディスク状記録媒体を検出するディスク検出手段とを設けておき、トレーを引込んだときにトレー検出部の検出出力とディスク検出部の検出出力の組合わせによってディスク状記録媒体の大きさまたはディスク状記録媒体が正しく載置されているかどうかを判別するものである。
【００４９】
従ってこのような記録媒体の判別方法によれば、ディスク状記録媒体の大きさまたはディスク状記録媒体が正しく載置されているかどうかを上記トレー検出部の検出出力とディスク検出部の検出出力の組合わせによって確実に検出することが可能になる。
【図面の簡単な説明】
【図１】ディスク式記録再生装置の要部斜視図である。
【図２】同トレーを引出した状態の斜視図である。
【図３】ベースユニットの平面図である。
【図４】ベースユニットの側面図である。
【図５】ベースユニットの正面図である。
【図６】ベースユニットの斜視図である。
【図７】ＤＶＲ用カートリッジを装着したベースユニットの平面図である。
【図８】同側面図である。
【図９】同斜視図である。
【図１０】ベアディスクを搭載したベースユニットの平面図である。
【図１１】同側面図である。
【図１２】同斜視図である。
【図１３】光ディスクの検出部の取付けを示す要部斜視図である。
【図１４】検出部を取付けたフロントパネルの背面側の要部斜視図である。
【図１５】トレーの底面図である。
【図１６】トレーを引出した状態の要部斜視図である。
【図１７】１２ｃｍのベアディスクを載置した状態の要部斜視図である。
【図１８】８ｃｍのベアディスクを載置した状態の要部斜視図である。
【図１９】トレーを取外した状態のフロントパネルを斜め上方から見たときの斜視図である。
【図２０】トレーをフロントパネルの横長開口から引出した状態の要部斜視図である。
【図２１】ベアディスクを側方にずらして載置した状態のトレーの要部斜視図である。
【図２２】同要部拡大斜視図である。
【図２３】システムの構成を示すブロック図である。
【図２４】システムの制御動作を示すフローチャートである。
【図２５】検出のタイミングを示すグラフである。
【符号の説明】
１０‥‥外筐、１１‥‥フロントパネル、１２‥‥横長開口、１３‥‥トレー、１４‥‥凹部、１５‥‥開口、１６‥‥Ｕ字状切込み、１７‥‥半円形の切込み、１８‥‥駆動ユニット、１９‥‥モータ、２０‥‥段部、２１‥‥ラック、２５‥‥ベースユニット、２６‥‥ブラケット、２７‥‥ターンテーブル、３１‥‥ＤＶＤ用ピックアップ、３２‥‥ＤＶＲ用ピックアップ、３３‥‥ガイドロッド、３４‥‥送りねじ、３５‥‥ステッピングモータ、３７、３８‥‥ガイドロッド、３９‥‥送りねじ、４０‥‥ステッピングモータ、４１‥‥ナット、４５‥‥サポートロッド、４６‥‥サポートアーム、４７、４８‥‥開口、５１‥‥ＤＶＲ用カートリッジ、５２‥‥ベアディスク（１２ｃｍ）、５３‥‥ベアディスク（８ｃｍ）、６０‥‥反射箔、６１‥‥欠如部（８ｃｍディスク）、６２‥‥欠如部（１２ｃｍディスク）、６５‥‥コントローラ、６６‥‥スイッチ（カートリッジ検出用）、７０‥‥プリント基板、７１‥‥検出部（ディスク検出、左）、７２‥‥検出部（ディスク検出、右）、７３‥‥検出部（トレー検出）、７４‥‥フレキシブル基板、７６〜７８‥‥Ｕ字状の切込み、８１‥‥凹部（１２ｃｍディスク用）、８２‥‥凹部（８ｃｍディスク用）
【図１】
2004178711.tif 000003
【図２】
2004178711.tif 000004
【図３】
2004178711.tif 000005
【図４】
2004178711.tif 000006
【図５】
2004178711.tif 000007
【図６】
2004178711.tif 000008
【図７】
2004178711.tif 000009
【図８】
2004178711.tif 000010
【図９】
2004178711.tif 000011
【図１０】
2004178711.tif 000012
【図１１】
2004178711.tif 000013
【図１２】
2004178711.tif 000014
【図１３】
2004178711.tif 000015
【図１４】
2004178711.tif 000016
【図１５】
2004178711.tif 000017
【図１６】
2004178711.tif 000018
【図１７】
2004178711.tif 000019
【図１８】
2004178711.tif 000020
【図１９】
2004178711.tif 000021
【図２０】
2004178711.tif 000022
【図２１】
2004178711.tif 000023
【図２２】
2004178711.tif 000024
【図２３】
2004178711.tif 000025
【図２４】
2004178711.tif 000026
【図２５】
2004178711.tif 000027